(57)【特許請求の範囲】
【請求項１】
鉛直または略鉛直方向に配置される固定部の表面に、軒樋と係合して軒樋を支持する吊部が突設された吊具本体と、この吊具本体とは別体とされた、板状の補助部材を有する軒樋支持具であって、
吊具本体の固定部には挿入孔が形成され、
補助部材は、鉛直または略鉛直方向に配置可能な表面と鼻隠し板表面に当接可能な裏面とを有し、厚みが上端から下端に向かって漸増する形状であるとともに長孔が形成され、補助部材の上下両端部の左右両側端に、吊具本体の固定部の側端部に弾性的に係合可能な弾性保持片が突設され、吊具本体の固定部上端部の左右両側端部に補助部材の弾性保持片が弾性的に係合し、吊具本体が補助部材に保持されて一体化し、補助部材の上下反転配置によっても弾性保持片が弾性的に係合し、吊具本体が補助部材に保持されて一体化するとともに、吊具本体と補助部材とが一体化した状態において、吊具本体の固定部の挿入孔と補助部材の長孔とを貫通する固定具によって鼻隠し板への取り付けが可能とされていることを特徴とする軒樋支持具。
【請求項２】
補助部材には、上下両端の中央部に、小片状の位置決め片が前方に向けて垂設されていることを特徴とする請求項１に記載の軒樋支持具。
【請求項３】
挿入孔は複数であり、互いに異なる形状を有していることを特徴とする請求項１または２に記載の軒樋支持具。
【発明の詳細な説明】
【技術分野】
【０００１】
本発明は、建物の軒先に軒樋を取り付けるための軒樋支持具に関する。
【背景技術】
【０００２】
軒樋支持具は、建物の軒先に配設された鼻隠し板の表面に当接して釘などの固定具により固定される固定部の表面に、軒樋の前壁および後壁の上端に設けられた耳部などに係合して軒樋を支持する吊部が突設されたものが一般的である。軒樋支持具は、固定部において鼻隠し板に固定されて取り付けられ、吊部において軒樋を吊持し、軒樋を建物の軒先に沿って取り付けることができる。このような軒樋支持具は、金属製のものばかりでなく、ポリカーボネートなどの耐候性の高い樹脂などから形成され、軽量化が図られている。
【０００３】
しかしながら、軒樋支持具は材料的にも強固であり、吊部と固定部との角度を変えることはできない。金属製のものは多少曲げることはできるが、曲げの自由度はさほど高くない。鼻隠し板は、鉛直方向またはほぼ鉛直と見なすことのできる略鉛直方向に配置されるばかりでなく、たとえば、下端から上端にかけて前方に傾き、下端が後方に配置されて前傾し、勾配が付いていることもあり、このように勾配が付いている場合、軒樋を軒先に沿って水平に取り付けるためには、吊部と固定部との角度を変え、調整する必要があるが、施工現場において吊部と固定部との角度を変えることはできない。
【０００４】
そこで、本出願人は、種々の軒先に対して適切な角度に取り付けられる軒樋支持具を提案している（特許文献１）。
【０００５】
先に提案した軒樋支持具は、特許文献１に記載しているように、鼻隠し板に固定される固定板の周囲部分の表面に複数の嵌挿係止脚が突設された固定具と、表面に軒樋支持部が突設された係止板の周囲部分に嵌合係止孔が穿設された樋支持具とを備えたものであり、この軒樋支持具は、固定具の固定板を鼻隠し板に釘固定し、嵌合係止孔を嵌挿係止脚に嵌合係止させて係止板を固定板に結合固定して取り付けられる。したがって、上記軒樋支持具では、固定具の形状、厚さなどを変えることにより、軒樋支持部の上下の方向の調節を行うことができ、合成樹脂製のものでありながらも、鼻隠し板の勾配に対応して適切な角度に調整することができる。
【特許文献１】実公平６−３４５０８号公報
【発明の開示】
【発明が解決しようとする課題】
【０００６】
このように、先に提案した軒樋支持具は、勾配の付いた鼻隠し板に取り付けても、軒樋を水平に取り付けることができる優れたものであるが、その後の検討により改善すべき点が見出された。
【０００７】
上記軒樋支持具において固定具と樋支持具とは別体とされ、鼻隠し板の勾配に応じた適切な形状、厚みなどを有する固定具を鼻隠し板に釘固定することにより、樋支持具による軒樋の水平な吊持は可能となるが、軒樋支持具の取り付けには、固定具の鼻隠し板への釘固定と、樋支持具の固定具への結合固定という二つの手順を必要としており、嵌挿係止脚に嵌合係止孔を嵌合係止するため、たとえ樋支持具の固定具への結合固定作業は容易であっても、軒樋支持具は建物の軒先の鼻隠し板に取り付けられるものであることから、取付作業は高所で行われることに起因して上記二つの手順を必要とする軒樋支持具の施工性は良好であるとは言いがたい。
【０００８】
軒樋支持具の取り付けに先立って樋支持具を固定具に結合固定しておくと、固定具を鼻隠し板に釘固定することができないので、取り付け不可能となる。
【０００９】
また、鼻隠し板は、前傾ばかりでなく、下端が前方に配置され、上端にかけて後方に傾斜する後傾の場合もあり、前傾および後傾の両方の勾配に対応可能とすると、固定具の品数が多くなり、固定具の製造、在庫管理などが煩雑となるという問題も生じる。
【００１０】
本発明は、以上の通りの事情に鑑みてなされたものであり、各種の形態の勾配が付いた鼻隠し板であっても軒樋を軒先に沿って水平に取り付けることができるとともに、鼻隠し板への取り付けが容易な施工性に優れた軒樋支持具を提供することを課題としている。
【課題を解決するための手段】
【００１１】
本発明の軒樋支持具は、上記の課題を解決するために、鉛直または略鉛直方向に配置される固定部の表面に、軒樋と係合して軒樋を支持する吊部が突設された吊具本体と、この吊具本体とは別体とされた、板状の補助部材を有する軒樋支持具であって、吊具本体の固定部には挿入孔が形成され、補助部材は、鉛直または略鉛直方向に配置可能な表面と鼻隠し板表面に当接可能な裏面とを有し、厚みが上端から下端に向かって漸増する形状であるとともに長孔が形成され、補助部材の上下両端部の左右両側端に、吊具本体の固定部の側端部に弾性的に係合可能な弾性保持片が突設され、吊具本体の固定部上端部の左右両側端部に補助部材の弾性保持片が弾性的に係合し、吊具本体が補助部材に保持されて一体化し、補助部材の上下反転配置によっても弾性保持片が弾性的に係合し、吊具本体が補助部材に保持されて一体化するとともに、吊具本体と補助部材とが一体化した状態において、吊具本体の固定部の挿入孔と補助部材の長孔とを貫通する固定具によって鼻隠し板への取り付けが可能とされていることを特徴としている。また、この軒樋支持具では、補助部材には、上下両端の中央部に、小片状の位置決め片が前方に向けて垂設されていることが好ましい。さらに、この軒樋支持具では、挿入孔は複数であり、互いに異なる形状を有していることが好ましい。
【発明の効果】
【００１２】
本発明によれば、吊具本体と補助部材とが別体とされているので、鼻隠し板の勾配に対応した厚みの漸増割合を有する補助部材を選定することにより、裏面を鼻隠し板の表面に当接させると、補助部材の表面が鉛直または略鉛直方向に配置され、吊具本体の固定部を鉛直または略鉛直に確実に配置することができ、吊具本体の吊部において軒樋を軒先に沿って水平に取り付けることができる。
【００１３】
また、補助部材の上下両端部の左右両側端に、吊具本体の固定部の側端部に弾性的に係合可能な弾性保持片が突設されているので、吊具本体の固定部上端部の左右両側端部に補助部材の弾性保持片を弾性的に係合させることにより、吊具本体が補助部材に保持されて一体化し、一体化した状態において鼻隠し板に釘、ビスなどの固定具を用いて固定し、取り付けることができ、取付手順が簡略化され、高所での取付作業の施工性が良好となる。
【００１４】
さらに、補助部材は、上下両端部の左右両側端に弾性保持片が突設されているので、上下に反転して配置することができ、後傾する勾配の付いた鼻隠し板に対しても、勾配の大きさが同じであれば同じ補助部材の適用が可能となる。補助部材の製造、在庫管理などの手間が軽減される。
【発明を実施するための最良の形態】
【００１５】
図１、図２は、それぞれ、本発明の軒樋支持具の一実施形態を示した分解斜視図、斜視図である。
【００１６】
図１および図２に示した軒樋支持具１は、軒樋を吊持する吊具本体２と、吊具本体２による軒樋の水平な取り付けを実現するための補助部材３とをそれぞれ別体として備えている。
【００１７】
吊具本体２は、従来の軒樋支持具と同様な構成を有している。吊具本体２は、鉛直またはほぼ鉛直と見なすことのできる略鉛直方向に配置される板状の固定部４を備え、固定部４の表面上端部に吊部５が略垂直に突設されている。
【００１８】
吊部５は、軒樋と係合して軒樋を内側から支持することができるように、全体として屈曲して形成されており、前端部上端には、軒樋の前壁上端部に設けられた前耳部が嵌合可能な凹状の嵌合受け部６を有し、後端部下側には、軒樋の後壁上端部に設けられた後耳部を係止可能な、後端が上方に少し折れ曲がった係止突片７を有している。
【００１９】
固定部４には、吊部５の左右両外側に釘、ビスなどの固定具の挿入孔８、９、１０が表裏を貫通して形成され、縦列して配置されている。挿入孔８、９、１０は、用いる固定具の種類や外径などに応じ、また、位置調整などを可能とするために、互いに異なる形状とされている。一番上の挿入孔８は、その下の挿入孔９より直径の小さい円形孔とされている。一番下の挿入孔１０はやや長孔状とされ、固定具の挿入位置を可変としている。
【００２０】
補助部材３は正面視略矩形の板状の部材である。補助部材３は、鉛直または略鉛直方向に配置可能な表面１１と、鼻隠し板表面に当接可能な裏面１２とを有し、厚みが上端から下端に向かって漸増している。つまり、補助部材３を表面１１が鉛直または略鉛直方向に配置されるように立てると、裏面１２は、上端から下端にかけて後方に傾斜して配置され、前傾している勾配の付いた鼻隠し板の表面に当接することができる。裏面１２の傾斜角度、言い換えると、補助部材３の厚みの漸増割合は、鼻隠し板の勾配に対応させることができ、一般に、鼻隠し板の勾配はある程度決まっており、４寸（２１°）勾配、５寸（２６°）勾配、６寸（３１°）勾配などの数種類の勾配に合わせてあらかじめ設計しておくことができる。したがって、補助部材３には、厚みの漸増割合が異なる複数のものが用意され、鼻隠し板の勾配に一致するものを選定することができる。
【００２１】
また、補助部材３には、上端部の左右両側端および下端部の左右両側端に、弾性保持片１３がそれぞれ一対として突設されている。弾性保持片１３は、補助部材３の左右両側端から斜め前方内側に左右対称に突出している。弾性保持片１３は、その名の通り、弾性を有し、両弾性保持片１３間の間隔を広げるような変形力が加わったときに、変形に抗するように弾性力が発生し、両弾性保持片１３間で挟持し、弾性保持可能としている。弾性保持片１３の弾性は、弾性保持片１３を形成する材料、弾性保持片１３の形状、厚みなどによって実現することができ、また、調整可能でもある。このような弾性保持片１３は、補助部材３においては、吊具本体２の固定部４の側端部に弾性的に係合可能とされている。つまり、両弾性保持片１３間の間隔が押し広げられたときに発生する弾性力によって、弾性保持片１３が、先端部や先端部より補助部材３の表面１１側の部分などにおいて、吊具本体２の固定部４の側端面に当接し、両弾性保持片１３によって吊具本体２の固定部４を幅方向に挟持することができるようにしている。
【００２２】
さらに、補助部材３には、吊具本体２の固定部４に形成された挿入孔８、９、１０に対向する左右両側に、補助部材３の長さ方向に延びる長孔１４が形成され、挿入孔８、９、１０を通じて挿入される固定具を鼻隠し板に向けて貫通可能にしている。
【００２３】
さらにまた、補助部材３には、上下両端の中央部に、小片状の位置決め片１５が前方に向けて垂設されている。
【００２４】
このような吊具本体２および補助部材３は、ポリカーボネート製である。もちろん、吊具本体２および補助部材３は、他の適宜な樹脂または金属から形成可能であり、また、吊具本体２と補助部材３とを異種材料から形成したり、各々において、要求される特性（たとえば弾性など）などに応じて部位ごとに異種材料を適用したりなどすることも可能である。
【００２５】
以上の軒樋支持具１は、吊具本体２における固定部４の上端部の左右両側端部に補助部材３の両弾性保持片１３が弾性的に係合することにより、吊具本体２が補助部材３に保持され、図２に示したように一体化する。つまり、補助部材３の上端部側の一対の弾性保持片１３が、吊具本体２における固定部４の上端部の左右両側端部に弾性的に係合して、軒樋支持具１は一体化されている。補助部材３による吊具本体２の保持に際しての位置決めは、補助部材３の上端側の位置決め片１５の下面に吊具本体２の固定部４の上端面が当接することにより行うことができる。一体化のための操作は、吊具本体２の固定部４の上端部を補助部材３の両弾性保持片１３間に前方より押し込んだり、固定部４の上端部の左右いずれか一方側の側端部を一方の弾性保持片１３に当接させた状態において、他方の弾性保持片１３を補助部材３の外側に向けて押し曲げた後、その弾性保持片１３を固定部４の他方側の側端部に弾性力により係合させたりするなどが例示される。
【００２６】
このようにして一体化した状態において、図３に示したように、軒樋支持具１は、建物の軒先に配設された鼻隠し板１６に取り付けられる。
【００２７】
上記の通り、補助部材３には、厚みの漸増割合が異なる複数のものが用意され、鼻隠し板の勾配に一致するものが選定されるので、補助部材３は、裏面１２において、前傾し、勾配の付いた鼻隠し板１６の表面に当接する。したがって、補助部材３の表面１１は鉛直または略鉛直方向に配置され、弾性保持片１３により保持された吊具本体２の固定部４は鉛直または略鉛直方向に確実に配置され、吊部５は、軒樋の軒先に沿った水平な取り付けを可能とするように安定に配置される。釘、ビスなどの固定具を挿入孔８、９、１０の内のいずれか一つ以上から挿入し、補助部材３の長孔１４を通じて鼻隠し板１６の内部に打入、ねじ込みなどすることにより、軒樋支持具１は、鼻隠し板１６に固定され、取り付けが完了する。
【００２８】
このように、軒樋支持具１は、別体とされた吊具本体２と補助部材３とを備えながらも、一体化した状態において鼻隠し板１６に釘、ビスなどの固定具を用いて固定し、取り付けることができるので、取付手順が簡略化され、高所での取付作業の施工性が良好となっている。
【００２９】
軒樋支持具１の取り付け後、図４に示したように、軒樋１７の取り付けを行う。吊具本体２の吊部５において、軒樋１７の後壁１８の上端部に設けられた後耳部１９を係止突片７に引っ掛け、前壁２０の上端部に設けられた前耳部２１を嵌合受け部６に嵌合させると、係止突片７で係止されて軒樋１７は、建物の軒先に沿って水平に取り付けられる。
【００３０】
鼻隠し板１６の勾配が大きめの場合には、図５に示したように、補助部材３として厚みの漸増割合が大きいものを選定することにより、図３に示した取り付け状態と同じように、補助部材３は、裏面１２において、前傾し、勾配の付いた鼻隠し板１６の表面に当接し、補助部材３の表面１１は鉛直または略鉛直方向に配置され、弾性保持片１３により保持された吊具本体２の固定部４は鉛直または略鉛直方向に確実に配置され、吊部５は、軒樋の軒先に沿った水平な取り付けを可能とするように安定に配置される。吊具本体２と補助部材３とが別体とされているので、軒樋支持具１では、前傾する鼻隠し板１６の勾配に対応した厚みの漸増割合を有する補助部材３を選定することにより、補助部材３の表面１１が鉛直または略鉛直方向に配置され、吊具本体２の固定部４を鉛直または略鉛直に確実に配置することができ、吊具本体２の吊部５において軒樋１７の軒先に沿った水平な取り付けを実現することができる。
【００３１】
また、鼻隠し板１６が前傾ではなく、後傾する勾配の付いたものである場合には、図６および図７に示したように、補助部材３を上下反転させることにより、補助部材３を表面１１が鉛直または略鉛直方向に配置されるように立てた状態において、裏面１２が、上端（反転前の下端）から下端（反転前の上端）にかけて前方に傾斜して配置され、後傾している勾配の付いた鼻隠し板の表面に当接可能となる。したがって、勾配の向きが前傾と後傾とで異なるだけで、勾配の大きさ（傾斜角度）が同じであれば、図１および図２に示した補助部材３を上下反転させて配置するだけで、同じように使用することができ、各種の形態の勾配が付いた鼻隠し板１６への対応が容易となる。鼻隠し板１６の前傾、後傾に分けて補助部材３を製造する必要がなく、補助部材３の製造、在庫管理などの手間が軽減される。
【００３２】
補助部材３を上下反転して配置した後は、反転前と同様の操作により、吊具本体２における固定部４の上端部の左右両側端部に補助部材３の上端部（反転前の下端部）側の両弾性保持片１３を弾性的に係合させ、吊具本体２を補助部材３によって保持して、軒樋支持具１を図７に示したように一体化させる。補助部材３による吊具本体２の保持に際しての位置決めも、反転前と同様に、上端（反転前の下端）側の位置決め片１５の下面に吊具本体２の固定部４の上端面を当接させることにより行うことができる。
【００３３】
一体化した状態において、図８に示したように、軒樋支持具１は、建物の軒先に配設された鼻隠し板１６に取り付けられる。補助部材３は、裏面１２において、後傾し、勾配の付いた鼻隠し板１６の表面に当接する。したがって、補助部材３の表面１１は鉛直または略鉛直方向に配置され、弾性保持片１３により保持された吊具本体２の固定部４は鉛直または略鉛直方向に確実に配置され、吊部５は、図３に示した配置状態と同様に、軒樋１７の軒先に沿った水平な取り付けを可能とするように安定に配置される。釘、ビスなどの固定具を挿入孔８、９、１０の内のいずれか一つ以上から挿入し、補助部材３の長孔１４を通じて鼻隠し板１６の内部に打入、ねじ込みなどすることにより、軒樋支持具１は、鼻隠し板１６に固定され、取り付けが完了する。
【００３４】
軒樋支持具１の取り付け後、軒樋１７の取り付けを行うと、軒樋１７は、図４に示した状態と同様に、建物の軒先に沿って水平に取り付けられる。
【００３５】
なお、軒樋支持具１において、吊具本体２には、固定部が鉛直または略鉛直方向に配置される従来の軒樋支持具を流用することが可能であり、この場合、補助部材３のみを、固定部の形状などに応じて新たに作製するだけですみ、コスト低減が図れる。また、吊部５の形状や構造、固定部４の形状などは、本発明の軒樋支持具には様々なものが採用可能である。たとえば、図１、図２、図６および図７に示したように、軒樋支持具１において吊具本体２の左右両側端部の中程または中程からやや下側にリブ２２が外側に向けて突設されている場合にも、補助部材３において上下両端部の左右両側端に突設された弾性保持片１３の各対は、互いに離間配置されているため、リブ２２と干渉することはなく、補助部材３は、吊具本体２を確実に保持することができる。
【００３６】
さらに、鼻隠し板１６が勾配のないものの場合には、補助部材３を取り付けず、吊具本体２のみを直接鼻隠し板１６に取り付けることにより、従来と同様に、軒樋１７を建物の軒先に沿って水平に取り付けることができる。したがって、鼻隠し板１６の施工状態に応じた取り付けを軒樋支持具１は実現する。軒樋支持具１の使用の自由度は大きい。
【図面の簡単な説明】
【００３７】
【図１】本発明の軒樋支持具の一実施形態を示した分解斜視図である。
【図２】図１に示した軒樋支持具の斜視図である。
【図３】図１および図２に示した軒樋支持具の前傾する勾配の付いた鼻隠し板への取り付けについて示した要部断面図である。
【図４】軒樋の取り付けについて示した要部断面図である。
【図５】図１および図２に示した軒樋支持具の鼻隠し板への取り付けについて示した要部断面図である。
【図６】図１に示した軒樋支持具の別の使用形態を示した分解斜視図である。
【図７】図６に示した軒樋支持具の斜視図である。
【図８】図６および図７に示した軒樋支持具の後傾する勾配の付いた鼻隠し板への取り付けについて示した要部断面図である。
【符号の説明】
【００３８】
１  軒樋支持具
２  吊具本体
３  補助部材
４  固定部
５  吊部
１１  表面
１２  裏面
１３  弾性保持片
１６  鼻隠し板
１７  軒樋
【図１】
0005129590.tif 000002
【図２】
0005129590.tif 000003
【図３】
0005129590.tif 000004
【図４】
0005129590.tif 000005
【図５】
0005129590.tif 000006
【図６】
0005129590.tif 000007
【図７】
0005129590.tif 000008
【図８】
0005129590.tif 000009